(57)【要約】  ＰｏＣ広告方法は、発呼側ＰｏＣ端末装置により送信されたセッション要求を受信するステップと、着呼側ＰｏＣ端末装置へセッション要求を送信するステップと、前記発呼側ＰｏＣ端末装置および／または前記着呼側ＰｏＣ端末装置と初期メディアネゴシエーションを実行するように、広告サーバを制御するステップと、広告サーバに通知を送信するステップと、前記通知に従って、前記発呼側ＰｏＣ端末装置および／または前記着呼側ＰｏＣ端末装置に個人に合わせたメディア広告を再生するステップと、を具備し、前記通知は、発呼側ＰｏＣ端末装置および／または着呼側ＰｏＣ端末装置へ、個人に合わせたメディア広告の再生の指示を伝送することを特徴とする。本発明の実施形態によると、個人に合わせたメディア広告が、発呼側ＰｏＣ端末装置および／または着呼側ＰｏＣ端末装置で再生される。
2010517342.tif 000002
【特許請求の範囲】
【請求項１】
ＰｏＣ(Push to talk over Cellular)広告システムは、
発呼側ＰｏＣ端末装置および／または着呼側ＰｏＣ端末装置に、個人に合わせたメディア広告を再生するように構成された広告サーバと、
前記発呼側ＰｏＣ端末装置および／または前記着呼側ＰｏＣ端末装置と初期メディアネゴシエーションを実行するとともに、広告サーバに通知を送信するように広告サーバを制御するように構成されたＰｏＣコントロールサーバと、を具備し、
前記通知は、発呼側ＰｏＣ端末装置および／または着呼側ＰｏＣ端末装置に個人に合わせた広告の再生の指示を伝送することを特徴とするＰｏＣ広告システム。
【請求項２】
ＰｏＣコントロールサーバがドキュメントデータを利用できるようにユーザの広告サービスに関するドキュメントデータを格納するように構成されているＸＤＭＳ(XML Document Management Server)をさらに具備することを特徴とする請求項１に記載のＰｏＣ広告システム。
【請求項３】
ＸＤＭＳ上の情報をユーザが操作するように構成されている集合サーバをさらに具備することを特徴とする請求項２に記載のＰｏＣ広告システム。
【請求項４】
ユーザの広告サービスに関連する共用ドキュメントデータを格納するように構成された共用ＸＤＭＳをさらに具備することを特徴とする請求項１に記載のＰｏＣ広告システム。
【請求項５】
ＸＤＭＳは、XML Document Management Serverであり、共用ＸＤＭＳは、共用XML Document Management Serverであることを特徴とする請求項４に記載のＰｏＣ広告システム。
【請求項６】
ＰｏＣコントロールサーバの制御に従って発呼側 Push to talk over Cellular (PoC) 端末装置および／または着呼側ＰｏＣ端末装置と初期メディアネゴシエーションを実行するように構成された広告セッションモジュールと、
広告セッションモジュールが発呼側ＰｏＣ端末装置および／または着呼側ＰｏＣ端末装置と初期メディアネゴシエーションを実行後に発呼側ＰｏＣ端末装置および／または着呼側ＰｏＣ端末装置に個人に合わせたメディア広告を再生するように構成されている広告メディア再生モジュールと、を具備する広告サーバ。
【請求項７】
広告ポリシー情報およびＰｏＣコントロールサーバにより送信された広告タイプに関する情報に従って広告ＩＤを選択するように構成された広告コントロールモジュールをさらに具備することを特徴とする請求項６に記載の広告サーバ。
【請求項８】
個人に合わせたメディア広告のコンテンツを格納するとともに広告ＩＤに従って再生するために広告メディア再生モジュールに個人に合わせたメディア広告のコンテンツを返信するように構成された広告コンテンツ格納モジュールをさらに具備することを特徴とする請求項７に記載の広告サーバ。
【請求項９】
広告評価指標データを記録するように構成されている広告ポイント記録ユニットをさらに具備することを特徴とする請求項６に記載の広告サーバ。
【請求項１０】
ユーザにより選択された広告タイプに関する情報を格納するように構成されているプロファイルモジュールをさらに具備することを特徴とする請求項６に記載の広告サーバ。
【請求項１１】
ＰｏＣ（A Push to talk over Cellular）端末装置であって、
セッション接続を確立するように構成された端末セッションモジュールと、
ＰｏＣコントロールサーバの制御に従って広告サーバとともに初期メディアネゴシエーションを実行するように構成されている初期メディアネゴシエーションユニットと、
初期メディアネゴシエーションの完了後に広告サーバから個人に合わせたメディア広告を受信するように構成されている受信ユニットと、
個人に合わせたメディア広告を再生するように構成されている端末再生ユニットと、
セッション接続の確立後にＰｏＣ通話を実施するように構成されている会話モジュールと、を具備するＰｏＣ端末装置。
【請求項１２】
受信ユニットが個人に合わせたメディア広告を受信するかどうかを判別するように構成されている判別ユニットをさらに具備し、
前記受信ユニットは、もし、個人に合わせたメディア広告するならば、端末再生ユニットは、個人に合わせたメディア広告を直接再生することを特徴とする請求項１１に記載のＰｏＣ端末装置。
【請求項１３】
ユーザの入力情報を受信するように構成されている入力ユニットと、
入力情報に従って、広告サービス情報のセッティングの命令をＸＤＭＳ（XML Document Management Server）または共用ＸＤＭＳに送信するように構成されているＸＤＭＣ（XML Document Management Client）と、をさらに具備することを特徴とする請求項１１または請求項１２に記載のＰｏＣ端末装置。
【請求項１４】
ＰｏＣ（Push to talk over Cellular）コントロールサーバであって、
発呼側ＰｏＣ端末装置からセッション要求を受信するとともに着呼側ＰｏＣ端末装置にセッション要求を送信するように構成されているセッションコントロールモジュールと、
発呼側ＰｏＣ端末装置および／または着呼側ＰｏＣ端末装置と初期メディアネゴシエーションを実行するように広告サーバを制御するように構成されているメディアネゴシエーションコントロールユニットと、
初期メディアネゴシエーションの後に広告サーバに通知を送信するように構成されている広告再生コントロールユニットと、
セッション確立後に、着呼側ＰｏＣ端末装置とＰｏＣセッションを実行するように発呼側ＰｏＣ端末装置を制御するように構成されている会話コントロールユニットと、
を具備し、
前記通知は、発呼側ＰｏＣ端末装置および／または着呼側ＰｏＣ端末装置に個人に合わせたメディア広告の再生の指示を伝送することを特徴とするＰｏＣコントロールサーバ。
【請求項１５】
ＸＤＭＳ（XML Document Management Server）の広告タイプ情報を読み出すように構成されているドキュメントリーディングユニットさらに具備することを特徴とする請求項１４に記載のＰｏＣコントロールサーバ。
【請求項１６】
ＰｏＣ（Push to talk over Cellular）広告方法であって、
発呼側ＰｏＣ端末装置により送信されたセッション要求を受信するステップと、
着呼側ＰｏＣ端末装置へ、セッション要求を送信するステップと、
発呼側ＰｏＣ端末装置および／または着呼側ＰｏＣ端末装置と初期メディアネゴシエーションを実行するように広告サーバを制御するステップと、
通知を広告サーバに送信するステップと、
通知に従って発呼側ＰｏＣ端末装置および／または着呼側ＰｏＣ端末装置に個人に合わせた広告を再生するステップと、
を具備し、
前記通知は、発呼側ＰｏＣ端末装置および／または着呼側ＰｏＣ端末装置に広告の再生指示を伝送することを特徴とするＰｏＣ広告方法。
【請求項１７】
着呼側ＰｏＣ端末装置がオフ−フック後に、発呼側ＰｏＣ端末装置および／または着呼側ＰｏＣ端末装置の個人に合わせたメディア広告の再生を停止するように広告サーバを制御するステップをさらに具備することを特徴とする請求項１６に記載のＰｏＣ広告方法。
【請求項１８】
発呼側ＰｏＣ端末装置および着呼側ＰｏＣ端末装置のそれぞれにフロアコントロール命令を送信するステップをさらに具備することを特徴とする請求項１７に記載のＰｏＣ広告方法。
【請求項１９】
広告ポイントを記録するステップをさらに具備することを特徴とする請求項１６に記載のＰｏＣ広告方法。
【請求項２０】
着呼側ＰｏＣ端末装置にセッション要求を送信した後において、着呼側ＰｏＣ端末装置からの仮応答を受信するステップをさらに具備することを特徴とする請求項１６に記載のＰｏＣ広告方法。
【請求項２１】
発呼側ＰｏＣ端末装置からのセッション要求を受信するステップと、着呼側ＰｏＣ端末装置へセッション要求を送信するステップは、ＳＩＰ（Session Initiation Protocol）に基づくことを特徴とする請求項１６に記載のＰｏＣ広告方法。
【請求項２２】
ＸＤＭＳ（XML Document Management Server）から、グループのメンバーにより選択された広告タイプを読み出すステップと、初期メディアネゴシエーションの後に、広告タイプに対応する個人に合わせたメディア広告をグループのメンバーに再生するステップと、をさらに具備することを特徴とする請求項１６に記載のＰｏＣ広告方法。
【請求項２３】
ＰｏＣ（Push to talk over Cellular）広告方法であって、
ＰｏＣコントロールサーバにセッション要求を送信するステップと、
ＰｏＣコントロールサーバの制御に従って広告サーバとともに初期メディアネゴシエーションを実行するステップと、
広告サーバにより送信された個人に合わせたメディア広告を受信するステップと、
個人に合わせたメディア広告を再生するステップと、を具備することを特徴とするＰｏＣ広告方法。
【請求項２４】
ＰｏＣ（Push to talk over Cellular）広告方法であって、
ＰｏＣコントロールサーバにより送信されたセッション要求を受信するステップと、
ＰｏＣコントロールサーバの制御に従って広告サーバとともに初期メディアネゴシエーションを実行するステップと、
広告サーバにより送信された個人に合わせたメディア広告を受信するステップと、
個人に合わせたメディア広告を再生するステップと、
を具備することを特徴とするＰｏＣ広告方法。
【請求項２５】
広告サーバにより送信された個人に合わせたメディア広告が受信されたかどうかを判別するステップと、
個人に合わせたメディア広告が受信された場合個人に合わせたメディア広告を再生するステップと、をさらに具備することを特徴とする請求項２４に記載のＰｏＣ広告方法。
【請求項２６】
ＰｏＣ（Push to talk over Cellular）広告方法であって、
ＰｏＣコントロールサーバの制御に従ってＰｏＣ端末装置と初期メディアネゴシエーションを実行するステップと、
ＰｏＣコントロールサーバの広告再生通知に従ってＰｏＣ端末装置に個人に合わせたメディア広告を再生するステップと、を具備することを特徴とするＰｏＣ広告方法。
【請求項２７】
個人に合わせたメディア広告のポイントを記録するステップをさらに具備することを特徴とする請求項２６に記載のＰｏＣ広告方法。
【請求項２８】
ＰｏＣ（Push to talk over Cellular）メディアシステムであって、
ＰｏＣ端末装置に個人に合わせたメディア情報を再生するように構成されているメディアリソースサーバと、
ＰｏＣ端末装置と初期メディアネゴシエーションを実行するようにメディアリソースサーバを制御するとともに、メディアリソースサーバへ命令を送信するように構成されているＰｏＣコントロールサーバと、を具備し、
前記命令は、ＰｏＣ端末装置に個人に合わせたメディア情報を送信の指示を伝送することを特徴とするＰｏＣメディアシステム。
【請求項２９】
サービス購読ＩＤ情報を格納するように構成されているＸＤＭＳ（XML Document Management Server）をさらに具備することを特徴とする請求項２８に記載のＰｏＣメディアシステム。
【請求項３０】
前記メディアリソースサーバは、ＭＲＢＴ（Multimedia Ring Back Tone）サーバおよびＭＣＩＤ（Multimedia Caller Identification）サーバであることを特徴とする請求項２８に記載のＰｏＣメディアシステム。
【請求項３１】
ＸＤＭＳ（XML Document Management Server）とＸＤＭＣ（XML Document Management Client）との間のインターフェースとして動作する集合サーバをさらに具備することを特徴とする請求項２８に記載のＰｏＣメディアシステム。
【請求項３２】
メディアリソースサーバであって、
ＰｏＣコントロールサーバの制御に従ってＰｏＣ（Push to talk over Cellular）端末装置と初期メディアネゴシエーションを実行するように構成されているセッションモジュールと、
セッションモジュールがＰｏＣ端末装置と初期メディアネゴシエーションを実行した後に端末装置に個人に合わせたメディア情報を再生するように構成されているメディア再生モジュールと、を具備することを特徴とするメディアリソースサーバ。
【請求項３３】
個人に合わせたメディア情報のコンテンツを格納するとともに、再生するためにメディア再生モジュールに個人に合わせたメディアのコンテンツを返信するように構成されているメディアコンテンツ格納モジュールをさらに具備することを特徴とする請求項３２に記載のメディアリソースサーバ。
【請求項３４】
ユーザにより加入されたメディアＩＤに関する情報を格納するように構成されているメディア購読モジュールをさらに具備することを特徴とする請求項３２に記載のメディアリソースサーバ。
【請求項３５】
ＰｏＣ（Push to talk over Cellular）端末装置であって、
セッション接続を確立するように構成されている端末セッションモジュールと、
ＰｏＣコントロールサーバの制御に従ってメディアリソースサーバとともに初期メディアネゴシエーションを実行するように構成されているメディアネゴシエーションユニットと、
初期メディアネゴシエーションの終了後、メディアリソースサーバから個人に合わせたメディア情報を受信するように構成されている受信ユニットと、
個人に合わせたメディア情報を再生するように構成されている端末再生ユニットと、
セッション接続の確立後ＰｏＣ通話を実施するように構成されている会話モジュールと、を具備することを特徴とするＰｏＣ端末装置。
【請求項３６】
前記端末装置は、受信ユニットが個人に合わせたメディア情報を受信するかどうかを判別するように構成されている判別ユニットをさらに具備し、
もし受信ユニットが個人に合わせたメディア情報を受信するならば、端末再生ユニットは、個人に合わせたメディア情報を直接再生することを特徴とする請求項３５に記載のＰｏＣ端末装置。
【請求項３７】
ユーザの入力情報を受信するように構成されている入力ユニットをさらに具備することを特徴とする請求項３５に記載のＰｏＣ端末装置。
【請求項３８】
入力ユニットにより受信された入力情報に従ってＸＤＭＳ（XML Document Management Server）に、サービス購読情報のセッティング命令を送信するように構成されているＸＤＭＣ（XML Document Management Client）をさらに具備することを特徴とする請求項３７に記載のＰｏＣ端末装置。
【請求項３９】
ＰｏＣ（Push to talk over Cellular）コントロールサーバであって、
発呼側ＰｏＣ端末装置からのセッション要求を受信するとともに着呼側ＰｏＣ端末装置へセッション要求を送信するように構成されているセッションコントロールモジュールと、
ＰｏＣ端末装置と初期メディアネゴシエーションを実行するようにメディアリソースサーバを制御するとともにＰｏＣ端末装置に個人に合わせたメディア情報を再生するようにメディアリソースサーバを制御するように構成されているメディアコントロールモジュールと、
ＰｏＣ通話を実施するように構成されている会話コントロールユニットと、を具備することを特徴とするＰｏＣコントロールサーバ。
【請求項４０】
ＸＤＭＳ（XML Document Management Server）に格納されているサービス購読ＩＤ情報を読み出すように構成されているドキュメントリーディングユニットをさらに具備することを特徴とする請求項３９に記載のＰｏＣコントロールサーバ。
【請求項４１】
前記メディアコントロールモジュールは、
発呼側ＰｏＣ端末装置および／または着呼側ＰｏＣ端末装置と初期メディアネゴシエーションを実行するようにメディアリソースサーバを制御するように構成されているメディアネゴシエーションコントロールユニットと、
初期メディアネゴシエーションの後にＰｏＣ端末装置に個人に合わせたメディア情報を再生するようにメディアリソースサーバを制御するように構成されている再生コントロールユニットと、をさらに具備することを特徴とする請求項３９に記載のＰｏＣコントロールサーバ。
【請求項４２】
ＰｏＣ（Push to talk over Cellular）メディア再生方法であって、
発呼側ＰｏＣ端末装置により送信されたセッション要求を受信するステップと、
着呼側ＰｏＣ端末装置にセッション要求を送信するステップと、
発呼側ＰｏＣ端末装置および／または着呼側ＰｏＣ端末装置と初期メディアネゴシエーションを実行するようにメディアリソースサーバを制御するステップと、
メディアリソースサーバに命令を送信するステップと、
命令に従って発呼側ＰｏＣ端末装置および／または着呼側ＰｏＣ端末装置に個人に合わせたメディア情報を再生するステップと、を具備し、
前記命令は、発呼側ＰｏＣ端末装置および／または着呼側ＰｏＣ端末装置に個人に合わせたメディア情報の再生指示を伝送することを特徴とするＰｏＣメディア再生方法。
【請求項４３】
着呼側ＰｏＣ端末装置がオフ−フック後に、発呼側ＰｏＣ端末装置および／または着呼側ＰｏＣ端末装置の個人に合わせたメディア情報の再生を停止するようにメディアリソースサーバを制御するステップをさらに具備することを特徴とする請求項４２に記載のＰｏＣメディア再生方法。
【請求項４４】
発呼側ＰｏＣ端末装置および着呼側ＰｏＣ端末装置のそれぞれにフロアコントロール命令を送信するステップをさらに具備することを特徴とする請求項４２に記載のＰｏＣメディア再生方法。
【請求項４５】
着呼側ＰｏＣ端末装置がセッション要求を送信後であって、
着呼側ＰｏＣ端末装置からの仮応答を受信するステップをさらに具備することを特徴とする請求項４２に記載のＰｏＣメディア再生方法。
【請求項４６】
発呼側ＰｏＣ端末装置からのセッション要求を受信するステップおよび着呼側ＰｏＣ端末装置へセッション要求を送信するステップは、ＳＩＰ（Session Initiation Protocol）に基づくことを特徴とする請求項４２に記載のＰｏＣメディア再生方法。
【請求項４７】
発呼側に対応するユーザは、メディアサービスを購読しているかどうか判別するためにＸＤＭＳ（XML Document Management Server）または共用ＸＤＭＳからメディアサービス購読ＩＤを読み出すステップをさらに具備することを特徴とする請求項４２に記載のＰｏＣメディア再生方法。
【請求項４８】
ＰｏＣ（Push to talk over Cellular）メディア再生方法であって、
ＰｏＣコントロールサーバへセッション要求を送信するステップと、
ＰｏＣコントロールサーバの制御に従ってＭＲＢＴ（Multimedia Ring Back Tone）サーバとともに初期メディアネゴシエーションを実行するステップと、
ＭＲＢＴサーバにより送信されたＭＲＢＴを受信するステップと、
前記ＭＲＢＴを再生するステップと、
を具備することを特徴とするＰｏＣメディア再生方法。
【請求項４９】
ＰｏＣ（Push to talk over Cellular）メディア再生方法であって、
ＰｏＣコントロールサーバにより送信されたセッション要求を受信するステップと、
ＰｏＣコントロールサーバの制御に従ってＭＣＩＤ（Multimedia Caller Identification）サーバとともに初期メディアネゴシエーションを実行するステップと、
ＭＣＩＤサーバにより送信された個人に合わせたメディア情報を受信するステップと、
個人に合わせたメディア情報を再生するステップと、
を具備することを特徴とするＰｏＣメディア再生方法。
【請求項５０】
個人に合わせたメディア情報を再生する前であって、受信した個人に合わせたメディア情報がＭＣＩＤ情報であるかどうか判別するステップと
受信した個人に合わせたメディア情報がＭＣＩＤ情報だった場合には個人に合わせたメディア情報を再生するステップと、をさらに具備することを特徴とする請求項４９に記載のＰｏＣメディア再生方法。
【請求項５１】
ＰｏＣ（Push to talk over Cellular）メディア再生方法であって、
ＰｏＣコントロールサーバの制御に従ってＰｏＣ端末装置と初期メディアネゴシエーションを実行するステップと、
ＰｏＣコントロールサーバの制御命令に従ってＰｏＣ端末装置に個人に合わせたメディア情報を再生するステップと、を具備することを特徴とするＰｏＣメディア再生方法。
【請求項５２】
前記個人に合わせたメディア情報は、ＭＲＢＴ（Multimedia Ring Back Tone）またはＭＣＩＤ（Multimedia Caller Identification）であることを特徴とする請求項５１に記載のＰｏＣメディア再生方法。
【発明の詳細な説明】
【技術分野】
【０００１】
本発明は、通信技術に関する。特に、Push to talk over Cellular（ＰｏＣ）メディアシステム、装置及び方法に関する。
【背景技術】
【０００２】
第３世代技術及びネットワーク発展により、ＰｏＣ技術が注目を集めている(booming)。従来型ＰｏＣサービス実施方法では、ＰｏＣコントロールサーバは、すべてのセッション参加者で別々のセッションを生成し、その後、それぞれのパーティのメディアを、ＰｏＣコントロールサーバを介して転送および配信する。したがってすべてのセッション参加者間でメディア会話(conversation)またはメッセージ会議(conference)を実施するのに適している。
【発明の概要】
【発明が解決しようとする課題】
【０００３】
本発明の実施処理を介し、発明者は、従来技術には少なくとも次の欠点があることがわかる：従来のＰｏＣサービスでは、初期メディア(early media)を使用することにより、サービスクライアントのための個人に合わせたメディア広告といった個別情報を再生できない。
【課題を解決するための手段】
【０００４】
したがって、初期メディアを使用してＰｏＣ端末装置のための個人に合わせたメディア広告を提供するＰｏＣ広告システムが提供される。
【０００５】
さらに、初期メディアを使用してＰｏＣ端末装置のための個人に合わせたメディア広告を提供する広告サーバが提供される。
【０００６】
また、ＰｏＣ端末装置が提供される。
【０００７】
その上、ＰｏＣコントロールサーバが提供される。
【０００８】
さらに、初期メディアを使用して顧客の端末のための個人に合わせたメディア広告を提供するＰｏＣ広告方法が提供される。
【０００９】
また、初期メディアを使用してＰｏＣ端末装置のための個人に合わせたメディア情報を提供するＰｏＣメディアシステムが提供される。
【００１０】
その上、メディアリソースサーバが提供される。
【００１１】
さらに、ＰｏＣ端末装置が提供される。
【００１２】
また、ＰｏＣコントロールサーバが提供される。
【００１３】
その上、ＰｏＣメディアの再生方法が提供される。
【００１４】
ＰｏＣ広告システムは、発呼側ＰｏＣ端末装置および／または着呼側ＰｏＣ端末装置に個人に合わせたメディア広告を再生するように構成された広告サーバと、発呼側ＰｏＣ端末装置および／または着呼側ＰｏＣ端末装置と初期メディアネゴシエーションを実行するように、広告サーバを制御するとともに、通知(notification)を広告サーバに送信するように構成されたＰｏＣコントロールサーバと、を具備し、前記通知は、個人に合わせた広告再生の指示を、発呼側ＰｏＣ端末装置および／または着呼側ＰｏＣ端末装置へ伝送することを特徴とする。
【００１５】
広告サーバは、ＰｏＣコントロールサーバの制御に従って、発呼側ＰｏＣ端末装置および／または着呼側ＰｏＣ端末装置と初期メディアネゴシエーションを実行するように構成された広告セッションモジュールと、広告セッションモジュールが、発呼側ＰｏＣ端末装置および／または着呼側ＰｏＣ端末装置と初期メディアネゴシエーションを実行した後に、個人に合わせたメディア広告を、発呼側ＰｏＣ端末装置および／または着呼側ＰｏＣ端末装置に、再生するように構成された広告メディア再生モジュールとを具備する。
【００１６】
ＰｏＣ端末装置は、セッション接続を確立するように構成された端末セッションモジュールと、ＰｏＣコントロールサーバの制御に従って広告サーバとともに初期メディアネゴシエーションを実行するように構成された初期メディアネゴシエーションユニットと、初期メディアネゴシエーションの完了後に広告サーバから個人に合わせたメディア広告を受信するように構成された受信ユニットと、個人に合わせたメディア広告を再生するように構成された端末再生ユニットと、セッション接続の確立後にＰｏＣ通話を実施するように構成された会話モジュールと、を具備する。
【００１７】
ＰｏＣコントロールサーバは、発呼側ＰｏＣ端末装置からセッション要求を受信するとともにセッション要求を着呼側ＰｏＣ端末装置へ送信するように構成されたセッションコントロールモジュールと、発呼側ＰｏＣ端末装置および／または着呼側ＰｏＣ端末装置と初期メディアネゴシエーションを実行するように、広告サーバを制御するように構成されたメディアネゴシエーションコントロールユニットと、初期メディアネゴシエーション後に、通知を広告サーバに送信するように構成された広告再生コントロールユニットと、セッション生成後に着呼側ＰｏＣ端末装置とＰｏＣセッションを実行するように、発呼側ＰｏＣ端末装置を制御するように構成された会話コントロールユニットと、を具備し、前記通知は個人に合わせたメディア広告再生の指示を発呼側ＰｏＣ端末装置および／または着呼側ＰｏＣ端末装置に伝送することを特徴とする。
【００１８】
ＰｏＣ広告方法は、発呼側ＰｏＣ端末装置により送信されたセッション要求を受信するステップと、セッション要求を着呼側ＰｏＣ端末装置へ送信するステップと、発呼側ＰｏＣ端末装置および／または着呼側ＰｏＣ端末装置と初期メディアネゴシエーションを実行するように広告サーバを制御するステップと、通知を広告サーバへ送信するステップと、前記通知に従って発呼側ＰｏＣ端末装置および／または着呼側ＰｏＣ端末装置に個人に合わせた広告を再生するステップと、を具備し、前記通知は広告再生の指示を発呼側ＰｏＣ端末装置および／または着呼側ＰｏＣ端末装置へ伝送することを特徴とする。
【００１９】
ＰｏＣ広告方法は、ＰｏＣコントロールサーバへセッション要求を送信するステップと、ＰｏＣコントロールサーバの制御に従って広告サーバとともに初期メディアネゴシエーションを実行するステップと、広告サーバにより送信された個人に合わせたメディア広告を受信するステップと、個人に合わせたメディア広告を再生するステップと、を具備する。
【００２０】
ＰｏＣ広告方法は、ＰｏＣコントロールサーバにより送信されたセッション要求を受信するステップと、ＰｏＣコントロールサーバの制御に従って広告サーバとともに初期メディアネゴシエーションを実行するステップと、広告サーバにより送信された個人に合わせたメディア広告を受信するステップと、個人に合わせたメディア広告を再生するステップと、を具備する。
【００２１】
ＰｏＣ広告方法は、ＰｏＣコントロールサーバの制御に従ってＰｏＣ端末装置と初期メディアネゴシエーションを実行するステップと、ＰｏＣコントロールサーバの広告再生通知に従ってＰｏＣ端末装置に個人に合わせたメディア広告を再生するステップと、を具備する。
【００２２】
ＰｏＣメディアシステムは、ＰｏＣ端末装置に個人に合わせたメディア情報を再生するように構成されたメディアリソースサーバと、ＰｏＣ端末装置と初期メディアネゴシエーションを実行するようにメディアリソースサーバを制御するとともに、メディアリソースサーバに命令を送信するように構成されたＰｏＣコントロールサーバと、を具備し、前記命令は、ＰｏＣ端末装置に個人に合わせたメディア情報を送信する指示を伝送する。
【００２３】
メディアリソースサーバは、ＰｏＣコントロールサーバの制御に従いＰｏＣ端末装置と初期メディアネゴシエーションを実行するように構成されたセッションモジュールと、セッションモジュールがＰｏＣ端末装置をとともに初期メディアネゴシエーションを実行後、ＰｏＣ端末装置に個人に合わせたメディア情報を再生するように構成されたメディア再生モジュールと、を具備する。
【００２４】
ＰｏＣ端末装置は、セッション接続を確立するように構成された端末セッションモジュールと、ＰｏＣコントロールサーバの制御に従い、メディアリソースサーバとともに初期メディアネゴシエーションを実行するように構成されたメディアネゴシエーションユニットと、初期メディアネゴシエーションの終了後に、メディアリソースサーバから個人に合わせたメディア情報を受信するように構成された受信ユニットと、個人に合わせたメディア情報を再生するように構成された端末再生ユニットと、セッション接続の確立後に、ＰｏＣ通話を実施するように構成された会話モジュールと、を具備する。
【００２５】
ＰｏＣコントロールサーバは、発呼側ＰｏＣ端末装置からのセッション要求を受信するとともに着呼側ＰｏＣ端末装置にセッション要求を送信するように構成されたセッションコントロールモジュールと、発呼側ＰｏＣ端末装置および／または着呼側ＰｏＣ端末装置と初期メディアネゴシエーションを実行するようにメディアリソースサーバを制御するように構成されたメディアネゴシエーションコントロールユニットと、初期メディアネゴシエーション後にＰｏＣ端末装置に個人に合わせたメディア情報を再生するメディアリソースサーバを制御するように構成された再生コントロールユニットと、ＰｏＣ通話を実施するように制御するように構成される会話コントロールユニットと、を具備する。
【００２６】
ＰｏＣメディアを再生するための方法は、発呼側ＰｏＣ端末装置により送信されたセッション要求を受信するステップと、ＰｏＣ端末装置にセッション要求を送信するステップと、発呼側ＰｏＣ端末装置および／または着呼側ＰｏＣ端末装置と初期メディアネゴシエーションを実行するメディアリソースサーバを制御するステップと、メディアリソースサーバに命令を送信するステップと、前記命令に従って発呼側ＰｏＣ端末装置および／または着呼側ＰｏＣ端末装置に個人に合わせたメディア情報を再生するステップと、を具備し、前記命令は、発呼側ＰｏＣ端末装置および／または着呼側ＰｏＣ端末装置に個人に合わせたメディア情報再生の指示を伝送することを特徴とする。
【００２７】
ＰｏＣメディアを再生するための方法は、ＰｏＣコントロールサーバにセッション要求を送信するステップと、ＰｏＣコントロールサーバの制御に従って、Multimedia Ring Back Tone（ＭＲＢＴ）サーバとともに初期メディアネゴシエーションを実行するステップと、ＭＲＢＴサーバにより送信されたＭＲＢＴを受信するステップと、ＭＲＢＴを再生するステップと、を具備する。
【００２８】
ＰｏＣメディアを再生するための方法は、ＰｏＣコントロールサーバにより送信されたセッション要求を受信するステップと、ＰｏＣコントロールサーバの制御に従いMultimedia Caller Identification（ＭＣＩＤ)サーバとともに初期メディアネゴシエーションを実行するステップと、ＭＣＩＤサーバにより送信された個人に合わせたメディア情報を受信するステップと、個人に合わせたメディア情報を再生するステップと、を具備する。
【００２９】
ＰｏＣメディアを再生するための方法は、ＰｏＣコントロールサーバの制御に従ってＰｏＣ端末装置と初期メディアネゴシエーションを実行するステップと、ＰｏＣコントロールサーバの制御命令に従ってＰｏＣ端末装置に個人に合わせたメディア情報を再生するステップと、を具備する。
【００３０】
本発明の構成によると、発呼側ＰｏＣ端末装置が発呼要求を送信した場合に、発呼側ＰｏＣ端末装置および／または着呼側ＰｏＣ端末装置に広告が再生される。したがって、ＰｏＣ端末装置に個人に合わせた広告を、初期メディアを使用して再生するＰｏＣ広告サービスの実施に適するとともにユーザエクスペリエンスを改善する。
【００３１】
本発明の構成によると、メディアリソースサーバは、ＰｏＣ端末装置に個人に合わせたメディア情報を再生するために初期メディアを使用する。したがって、ＰｏＣ発呼プロセス内で個人に合わせたメディア再生サービスの実施に適するとともにユーザエクスペリエンスを改善する。ＰｏＣコントロールサーバは、セッション要求を送信したときの初期メディアネゴシエーションの実行を制御する。したがって、個人に合わせたメディア情報のスムーズな再生のためのプラットフォームを提供する。
【図面の簡単な説明】
【００３２】
【図１】本発明の第１実施形態におけるＰｏＣ広告システムストラクチャを示している。
【図２】本発明の第１実施形態におけるＰｏＣ広告サーバストラクチャを示している。
【図３】本発明の第１実施形態におけるＰｏＣクライアントストラクチャを示している。
【図４】本発明の第１実施形態におけるＰｏＣコントロールサーバストラクチャを示している。
【図５】本発明の第２実施形態におけるＰｏＣ広告方法のフローチャートを示している。
【図６】本発明の第３実施形態におけるＰｏＣ広告方法の詳細なフローチャートを示している。
【図７】本発明の第４実施形態におけるＰｏＣメディアシステムストラクチャを示している。
【図８】本発明の第４実施形態におけるＰｏＣ  ＭＲＢＴ／ＭＣＩＤサーバストラクチャを示している。
【図９】本発明の第４実施形態におけるＰｏＣ端末装置ストラクチャを示している。
【図１０】本発明の第４実施形態におけるＰｏＣコントロールサーバストラクチャを示している。
【図１１】本発明の第５実施形態におけるＰｏＣメディア再生方法のフローチャートを示している。
【図１２】本発明の第６実施形態におけるＰｏＣメディア再生方法の詳細なフローチャートを示している。
【発明を実施するための形態】
【００３３】
図１に示すように、ＰｏＣ広告システム１００は、広告サーバ(ＡＤサーバ)２００と、ＰｏＣ端末装置３００と、ＰｏＣコントロールサーバ４００と、XML Document Management Server（ＸＤＭＳ）１０４と、共用ＸＤＭＳ１０６と、集合サーバ１０８と、を具備する。前記広告サーバ２００は、発呼側ＰｏＣ端末装置および／または着呼側ＰｏＣ端末装置に個人に合わせた(individualized)メディア広告を再生するように構成されている。前記個人に合わせたメディア広告は、個人に合わせたオーディオまたはビデオメディア情報でありうる。
【００３４】
前記ＰｏＣコントロールサーバ４００は、広告サーバ２００と接続されており、広告サーバ２００とＰｏＣ端末装置３００との初期メディア(early media)ネゴシエーションを制御し、広告を再生（または再生の停止）するように広告サーバ２００を制御し、ＰｏＣ通話接続を制御するように構成されている。前記ＰｏＣコントロールサーバ４００は、リモートネットワーク１１０にも接続されている。前記ＰｏＣ端末装置３００は、ＰｏＣ通話，広告の受信及び再生，ユーザの入力情報に従ってXML Document Management Client（ＸＤＭＣ）３３０を介して広告サービス情報設定命令をＸＤＭＳ１０４および／または共用ＸＤＭＳ１０６に送信，初期メディア広告サービスポリシーのセット，そして広告グループのメンバーそれぞれにより選択された広告タイプのセットを実行するように構成されている。前記ＰｏＣ端末装置３００は、ＰｏＣクライアント３１０を介して、広告サーバ２００と初期メディアネゴシエーションを実施し、そして広告サーバ２００により送信された個人に合わせたメディア広告をリアルタイムで再生する。前記ＸＤＭＳ１０４および共用ＸＤＭＳ１０６は、広告サービスデータを保存し、規定されたグループに初期メディア広告サービス識別子を添付し(affix)、グループ内のそれぞれのメンバーにより選択(preferred)された広告タイプをセットするように構成されている。前記初期メディア広告サービス識別子は、グループが初期メディア広告サービスを購読しているかどうかを示すサービス購読識別子である。集合サーバ１０８は、ＸＤＭＣ３３０とＸＤＭＳ１０４との間、前記ＸＤＭＣ３３０と共用ＸＤＭＳ１０６との間に配置されており、前記ＸＤＭＣ３３０は、前記集合サーバ１０８を介して前記ＸＤＭＳ１０４および共用ＸＤＭＳ１０６を操作(operates)する。前記ＸＤＭＳ１０４は、特定の広告サービスデータを格納するように構成されており、共用ＸＤＭＳ１０６は、共用広告サービスデータを格納するように構成されている。
【００３５】
図２に示すように、この実施形態における前記広告サーバ２００は、広告メディア再生モジュール２０２と、広告コンテンツ格納モジュール２０４と、広告コントロールモジュール２０６と、広告ポイント記録ユニット２０８と、広告セッションモジュール２１０と、プロファイルモジュール２２０と、を具備する。
【００３６】
前記広告メディア再生モジュール２０２は、前記広告セッションモジュール２１０と、発呼側ＰｏＣ端末装置および／または着呼側ＰｏＣ端末装置とで初期メディアネゴシエーションが実行された後に、広告タイプに従って、広告コントロールモジュール２０６から個人に合わせた広告ＩＤを取得し、前記広告ＩＤに従って広告コンテンツ格納モジュール２０４から個人に合わせた広告コンテンツを読み出し、前記発呼側ＰｏＣ端末装置または着呼側ＰｏＣ端末装置に、個人に合わせた広告を再生するのに初期メディアを使用するように構成される。例えば、前記広告メディア再生モジュール２０２は、ＰｏＣ端末装置３００に広告を再生する。前記広告メディア再生モジュール２０２は、前記広告サーバ２００内のモジュールの１つまたは外部のＭＲＢＴメディアプレーヤーを内蔵するモジュールであってよい。
【００３７】
広告コンテンツ格納モジュール２０４は、個人に合わせたメディア広告コンテンツを格納するとともに、広告ＩＤに対応して広告コンテンツを返す(return)するように構成されている。前記広告コンテンツ格納モジュールは、広告サーバ内のモジュールの１つまたは広告サーバ外部の広告メディアコンテンツストレージサーバであってよい。この実施形態では、広告コンテンツ格納モジュール２０４は、広告サーバ２００に内蔵されているものと想定している。
【００３８】
前記広告コントロールモジュール２０６は、ＰｏＣコントロールサーバ４００により送信された広告タイプに従って、個人に合わせた広告ＩＤおよび格納された広告ポリシー情報を選択するように構成されている。
【００３９】
前記広告ポイント記録ユニット２０８は、広告評価指標データ(metrics data)を記録するように構成されている。そして前記広告評価指標データは、広告グループに請求するために使用される。
【００４０】
前記広告セッションモジュール２１０は、ＰｏＣコントロールサーバ４００の制御に従って発呼側ＰｏＣ端末装置および／または着呼側ＰｏＣ端末装置と初期メディアネゴシエーションを実行するように構成されている。この実施形態では、ネゴシエーションのためのプロトコルは、Session Initiation Protocol (ＳＩＰ)であると想定している。前記広告セッションモジュール２１０は、メッセージ受信ユニット２１２と、メッセージ処理ユニット２１４と、応答ユニット２１６と、をさらに具備している。前記メッセージ受信ユニット２１２は、セッションメッセージを受信するように構成されている。例えば、招待(INVITE)メッセージおよび200 OKメッセージである。前記応答ユニット２１６は、メッセージ処理ユニット２１４の命令処理に従って応答メッセージまたは転送メッセージを送信するように構成されている。
【００４１】
前記プロファイルモジュール２２０は、ユーザにより選択された広告タイプを格納するように構成されている。前記ＰｏＣコントロールサーバ４００は、ＸＤＭＳ１０４または共用ＸＤＭＳ１０６の広告タイプデータを読み出す必要はない。本明細書を読むことにより、当業者は、プロファイルモジュール２２０が広告サーバ２００においてセットされうるか否かが分かる。それ以上本明細書では詳述しない。
【００４２】
図３に示すように、この実施形態における前記ＰｏＣ端末装置３００は、ＰｏＣクライアント３１０およびＸＤＭＣ３３０を具備する。
【００４３】
前記ＰｏＣクライアント３１０は、ＰｏＣ通話およびＰｏＣサービスを実行するように構成されている。
【００４４】
前記ＸＤＭＣ３３０は、入力情報に従って、例えば、ＸＤＭＳまたは共用ＸＤＭＳに、初期メディア広告サービスＩＤを設定するといった広告サービス情報設定命令、グループのための広告サービスの有効期間、およびグループのそれぞれのメンバーが選択した前記広告タイプ、を送信するように構成されている。したがって、ＰｏＣ初期メディアの広告サービスを起動するのに適している。
【００４５】
前記ＰｏＣクライアント３１０は、端末セッションモジュール３０２と、初期メディアネゴシエーションユニット３０４と、受信ユニット３０６と、判別ユニット３０８と、端末再生ユニット３１２と、入力モジュール３１４と、会話モジュール３１６と、を具備する。
【００４６】
前記端末セッションモジュール３０２は、セッション接続を設定するように構成されている。この実施形態においては、セッションはＳＩＰプロトコルに基づいて確立されると想定している。
【００４７】
前記初期メディアネゴシエーションユニット３０４は、ＰｏＣコントロールサーバ４００の制御下にある広告サーバ２００とともに初期メディアネゴシエーションを実行するように構成されている。
【００４８】
前記受信ユニット３０６は、広告サーバ２００により送信された個人に合わせたメディア広告を受信するように構成されている。
【００４９】
前記判別ユニット３０８は、受信ユニット３０６が個人に合わせたメディア広告を受信するかどうか判別するように構成されている。
【００５０】
もし、前記受信ユニット３０６が個人に合わせたメディア広告を受信するならば、前記端末再生ユニット３１２は、個人に合わせたメディア広告を直接再生する。そうでない場合は、端末再生ユニット３１２は、直接着信音を再生する。
【００５１】
広告情報がオーディオ情報だった場合には、前記端末再生ユニット３１２は、オーディオ再生回路またはスピーカであってよい。
【００５２】
広告情報がビデオ情報だった場合には、前記端末再生ユニット３１２は、液晶ディスプレイ（ＬＣＤ）といった表示装置またはオーディオとビデオの両方を再生する装置であってよい。
【００５３】
前記入力モジュール３１４は、例えば、グループに設定される初期メディア広告サービスＩＤなどのユーザの入力情報、広告サービスの有効期間、およびグループのそれぞれのメンバーが選択した広告タイプ、を受信するように構成されている。実施に際しては、前記入力モジュール３１４は、キーボードやタッチ画面といった入力装置であってよい。
【００５４】
前記会話モジュール３１６は、ＰｏＣ端末通話を実施するように構成されている。
【００５５】
図４に示すように、ＰｏＣコントロールサーバ４００は、セッションコントロールモジュール４０２と、メディアネゴシエーションユニット４０４と、広告再生コントロールユニット４０６と、ドキュメントリーディングユニット４０８と、会話コントロールユニット４１０と、を具備する。
【００５６】
前記セッションコントロールモジュール４０２は、発呼側ＰｏＣ端末装置からのセッション要求を受信するとともに、着呼側ＰｏＣ端末装置にセッション要求を送信するように構成されている。
【００５７】
前記メディアネゴシエーションユニット４０４は、発呼側ＰｏＣ端末装置および／または着呼側ＰｏＣ端末装置と初期メディアネゴシエーションを実行するように、広告サーバを制御するように構成されている。
【００５８】
前記広告再生コントロールユニット４０６は、初期メディアネゴシエーションの後にＰｏＣ端末装置に広告を再生するように、広告サーバ２００を制御するように構成されている。この実施形態では、前記広告再生コントロールユニット４０６は、広告の再生または再生停止のための命令を広告サーバ２００に発行する。
【００５９】
前記ドキュメントリーディングユニット４０８は、ＸＤＭＳ１０４または共用ＸＤＭＳ１０６のグループのメンバーにより選択された広告タイプに関する情報を読み出すように構成されている。
【００６０】
前記会話コントロールユニット４１０は、ＰｏＣ通話の実施を制御するように構成されている。
【００６１】
前述のＰｏＣ広告システム１００は、広告サーバ２００を介したＰｏＣ端末装置３００への広告の再生に初期メディアを使用する。したがって、ＰｏＣ発呼処理において個人に合わせた広告の再生サービスの実施に適するとともにユーザエクスペリエンスが改善される。前記ＰｏＣコントロールサーバ４００は、セッション要求の送信時における初期メディアネゴシエーションの実行を制御する。したがって、スムーズな広告再生のためのプラットフォームの提供に適する。前記ＸＤＭＣ３３０は、ユーザが個人に合わせた広告の広い選択肢を持つとともに、ＰｏＣ端末装置３００とサーバとのインターアクション性能が高められるように、ＸＤＭＳ１０４または共用ＸＤＭＳ１０６を変更する。広告サーバ２００により再生された前記広告情報は、再生のために着信音(ring tone)に変換される。したがって、着呼側パーティとして働く(serving)ＰｏＣ端末装置は、伝統的な着信音の代わりに個人に合わせた広告サービスを享受(enjoys)する。前記ＰｏＣコントロールサーバ４００は、広告サーバ２００の再生及び停止を制御する。したがって、効果的および高品質なＰｏＣ通話を確保する。
【００６２】
図５に示すように、ＰｏＣ広告方法は、以下のステップを備える。
【００６３】
ステップ 502：ＵＥ（Ａ）はＰｏＣコントロールサーバに招待要求を送信する。ＵＥは、User Equipment（ユーザ装置）である。この実施形態における一例としてＳＩＰ信号を取り上げる。招待要求は、特定の着呼側ＰｏＣ端末に向けられて、またはグループに向けられている。この実施形態においては、招待要求は、特定の着呼側ＰｏＣ端末ＵＥ（Ｂ）に向けられているものと想定する。ＸＤＭＳ１０４のサービス購読ＩＤを判別するステップを、ステップ 502の後に追加してもよい。前記サービス購読ＩＤは、発呼側に対応するユーザが広告サービスを購読しているかどうかを示す。広告サービスを購読している場合には、処理は、ステップ 504に進み、そうでなければ処理は終了する。
【００６４】
ステップ 504：ＰｏＣコントロールサーバはＵＥ（Ｂ）に招待要求を送信するとともに前記ＰｏＣコントロールサーバは、グループのすべての着呼パーティに招待発呼要求を送信する。
【００６５】
ステップ 506：ＵＥ（Ｂ）は、183仮応答(provisional response)を返信する。
【００６６】
ステップ 508：前記ＰｏＣコントロールサーバは、ＵＥ（Ａ）と初期メディアネゴシエーションを実行するように、発呼側ＰｏＣ端末ＵＥ（Ａ）のホームドメインにおいて広告サーバＡを制御する。
【００６７】
ステップ 510：前記ＰｏＣコントロールサーバは、ＵＥ（Ｂ）と初期メディアネゴシエーションを実行するように、着呼側ＰｏＣ端末ＵＥ（Ｂ）のホームドメインにおいて広告サーバＢを制御する。前記ＰｏＣコントロールサーバは、発呼側または着呼側ＰｏＣ端末装置と初期メディアネゴシエーションを実行するように広告サーバを制御する。明らかに、ステップ 508およびステップ 510はシーケンスに影響されない。すなわち、ステップ 508が、ステップ 510の前に実行されようが、後に実行されようが問題とならない。以下同様である。
【００６８】
ステップ 511：前記ＰｏＣコントロールサーバは、ＸＤＭＳからユーザにより選択された広告タイプを読み出す。明らかに、ユーザに選択された広告タイプは広告サーバＡまたは広告サーバＢに格納されており、ＰｏＣコントロールサーバは、ＸＤＭＳから関連情報を読み出す必要はない。以下同様である。
【００６９】
ステップ 512：前記ＰｏＣコントロールサーバは、広告サーバＡに、ＵＥ（Ａ）により選択された広告タイプの個人に合わせた広告情報を伝送する命令を送信する。前記命令は、広告タイプ情報を伝送する。
【００７０】
ステップ 514：前記広告サーバＡは、ＰｏＣコントロールサーバからの広告再生の命令に従って広告コンテンツを読み出すとともに発呼側ＰｏＣ端末装置ＵＥ（Ａ）に個人に合わせた広告を再生する。
【００７１】
ステップ 516：前記ＰｏＣコントロールサーバは、広告サーバＢに、ＵＥ（Ｂ）により選択された広告タイプの個人に合わせた広告情報を伝送する命令を送信する。前記命令は広告タイプ情報を伝送する。明らかに、ステップ 512およびステップ 516における命令は広告タイプ情報を伝送する。命令が広告タイプ情報を伝送する場合は、前記広告サーバは、プロファイルモジュールから広告タイプを読み出す必要はない。そうでない場合には、広告サーバは、プロファイルモジュールから広告タイプ情報を読み出す必要がある。
【００７２】
ステップ 518：前記広告サーバＢは、ＰｏＣコントロールサーバからの広告の再生命令に従って広告コンテンツを読み出すとともに、着呼側ＰｏＣ端末装置ＵＥ（Ｂ）に、個人に合わせた広告を再生する。前記着呼側ＰｏＣ端末装置ＵＥ（Ｂ）は、広告情報を着信音情報に変換することにより広告を再生しうる。これで発呼側および／または着呼側ＰｏＣ端末装置での広告情報の再生の処理が終了する。
【００７３】
ステップ 520：着呼側ＰｏＣ端末装置ＵＥ（Ｂ）は、オフ−フックとなり、オフ−フックメッセージ200 OKをＰｏＣコントロールサーバに返信する。
【００７４】
ステップ 522：ＰｏＣコントロールサーバは、200 OKメッセージを発呼側ＰｏＣ端末装置ＵＥ（Ａ）に送信する。
【００７５】
ステップ 524：前記ＰｏＣコントロールサーバは、広告サーバＡに広告の再生停止命令を送信し、そして発呼側ＰｏＣ端末装置での広告情報の再生を停止するように広告サーバを制御する。
【００７６】
ステップ 526：前記広告サーバは広告の再生を停止するとともに広告評価指標データを記録する。
【００７７】
ステップ 528：前記ＰｏＣコントロールサーバは、広告サーバＢに広告の再生の停止命令を送信し、そして着呼側ＰｏＣ端末装置での広告情報の再生の停止をするように広告サーバを制御する。
【００７８】
ステップ 530：広告サーバＢは、広告再生を停止するとともに広告評価指標データを記録する。
【００７９】
ステップ 532 および 534：ＰｏＣコントロールサーバは、発呼側パーティおよび着呼側パーティのそれぞれに、フロアコントロール命令を送信する。
【００８０】
ステップ 536 および 538：前記発呼側ＰｏＣ端末装置および着呼側ＰｏＣ端末装置は、標準メディア通信(conversation)となる。
【００８１】
以下の説明は、応用例に基づく。図６に示すように、ＰｏＣ広告方法は、以下のステップを備える。
【００８２】
ステップ 1：ＵＥ（Ａ）はＰｏＣサーバに招待要求を送信する。
【００８３】
ステップ 2：前記ＰｏＣサーバは、招待要求をＵＥ（Ｂ）に送信する。
【００８４】
ステップ 3：前記ＵＥ（Ｂ）は、183仮応答を返信する。
【００８５】
ステップ 4：前記ＰｏＣコントロールサーバは、発呼側ドメインにおいて広告サーバ（Ａ）に招待要求を送信する。前記招待要求は、メディアの機能の申し込み(offer)は伝送しない。
【００８６】
ステップ 5：前記広告サーバ（Ａ）は広告サーバ（Ａ）の申し込みを伝送する200 OKを返信する。
【００８７】
ステップ 6：前記ＰｏＣコントロールサーバは、ＵＥ（Ａ）に、広告サーバ（Ａ）の申し込みを伝送する183仮応答を返信する。
【００８８】
ステップ 7：前記ＵＥ（Ａ）は、ＰｏＣサーバに信頼性のあるProvisional Response ACKnowledgement(PRACK)を送信する。前記ＰＲＡＣＫは、ＵＥ（Ａ）からの応答を広告サーバ（Ａ）に直接伝送する。
【００８９】
ステップ 8：前記ＰｏＣコントロールサーバは、広告サーバ（Ａ）に200 OKに向けられたＡＣＫメッセージを返信する。前記ＡＣＫメッセージは、広告サーバ（Ａ）に向けられたＵＥ（Ａ）からの返信を伝送する。これで、広告サーバ（Ａ）は、ＵＥ（Ａ）との初期メディアネゴシエーションを終了する。
【００９０】
ステップ 9：前記ＰｏＣコントロールサーバは、着呼側ホームドメインにおいて広告サーバ（Ｂ）に招待要求を送信する。前記招待要求は申し込みを伝送しない。
【００９１】
ステップ 10：前記広告サーバ（Ｂ）は、200 OKを返信する。200 OKは、広告サーバ（Ｂ）の申し込みを伝送する。
【００９２】
ステップ 11：前記ＰｏＣコントロールサーバは、広告サーバ（Ｂ）の申し込みを伝送する信頼性のあるＰＲＡＣＫをＵＥ（Ｂ）に送信する。
【００９３】
ステップ 12：前記ＵＥ（Ｂ）は、PRACKに向けられた200メッセージを返信する。前記メッセージは、広告サーバ（Ｂ）に向けられたＵＥ（Ｂ）からの応答を伝送する。
【００９４】
ステップ 13：前記ＰｏＣコントロールサーバは、200 OKに向けられたＡＣＫメッセージを広告サーバ（Ｂ）に返信する。前記ＡＣＫメッセージは、広告サーバ（Ｂ）に向けられたＵＥ（Ｂ）からの応答を伝送する。これで広告サーバ（Ｂ）は、ＵＥ（Ｂ）との初期メディアネゴシエーションを終了する。
【００９５】
ステップ 14：前記ＰｏＣコントロールサーバは、ＰＲＡＣＫに向けられた200メッセージをＵＥ（Ａ）に返信する。
【００９６】
ステップ 15：前記ＵＥ（Ｂ）は、ＰｏＣコントロールサーバに警告(Alert)を返信する。
【００９７】
ステップ 16：前記ＰｏＣコントロールサーバはＵＥ（Ａ）に警告を返信する。
【００９８】
ステップ 17-18：前記ＰｏＣコントロールサーバは、発呼側パーティおよび着呼側パーティで広告が再生されるように、発呼側パーティおよび着呼側パーティにより選択された広告タイプのそれぞれをＸＤＭＳから抽出するとともに、広告サーバ（Ａ）および広告サーバ（Ｂ）のそれぞれに広告の再生の通知を送信する。前記通知は、広告タイプを伝送する。
【００９９】
ステップ 19：前記広告サーバ（Ａ）は、ＵＥ（Ａ）に個人に合わせた広告メディアを再生するために初期メディアを使用する。
【０１００】
ステップ 20：前記広告サーバ（Ｂ）は、ＵＥ（Ｂ）への個人に合わせた広告メディアの再生に、初期メディアを使用する
【０１０１】
ステップ 21：着呼側パーティはオフ−フックになり、招待メッセージに向けられた200 OKをＰｏＣコントロールサーバに返信する。
【０１０２】
ステップ 22：前記ＰｏＣコントロールサーバは、ＵＥ（Ａ）に招待メッセージに向けられた200 OKメッセージを返信する。
【０１０３】
ステップ 23-24：前記ＰｏＣコントロールサーバは、前記広告サーバ（Ａ）とのセッションを終了する。その結果、前記広告サーバ（Ａ）はＵＥ（Ａ）での広告の再生を停止する。
【０１０４】
ステップ 25-26：前記ＰｏＣコントロールサーバは、広告サーバ（Ｂ）のセッションを終了する。その結果、前記広告サーバ（Ｂ）はＵＥ（Ｂ）での広告の再生を停止する。
【０１０５】
ステップ 27-28：前記広告サーバ（Ａ）および広告サーバ（Ｂ）は、広告評価指標データをそれぞれ記録する。
【０１０６】
ステップ 29-30：前記ＰｏＣコントロールサーバは、ＵＥ（Ａ）およびＵＥ（Ｂ）にフロアコントロール命令を送信する。
【０１０７】
ステップ 31-32：前記ＵＥ（Ａ）およびＵＥ（Ｂ）は、ＰｏＣコントロールサーバのメディア転送を介し通常通信（conversation）を実行する。
【０１０８】
前述の方法は、セッションに基づくInstant Message (IM)サービスおよびConverge Internet Protocol Message (CPM)サービスの、発呼側広告ＭＲＢＴシナリオおよびＭＣＩＤシナリオに応用可能である。特性の信号フローは、ＰｏＣに類似するが、以下の点で異なる。
【０１０９】
ＩＭサービスおよびＣＰＭサービスは、メディアネゴシエーション後に、ＰｏＣコントロールサーバのフロアコントロール無しにMessage Session Relay Protocol (MSRP)を介しメッセージメディアを転送する。ネゴシエーション及び初期メディアの再生といった他の操作は、ＰｏＣ信号フローの場合と同じであるためこれ以上ここでは繰り返さない。
【０１１０】
本発明におけるＰｏＣ広告方法では、広告サーバを介したＰｏＣ端末装置への広告の再生に初期メディアを使用する。それゆえ、ＰｏＣ発呼処理において、個人に合わせた広告の再生サービスを実施するのに適するとともにユーザエクスペリエンスを改善する。前記ＰｏＣコントロールサーバは、セッション要求の送信時における初期メディアネゴシエーションの実施を制御する。したがって広告をスムーズに再生するためのプラットフォームを提供するのに適する。前記ＸＤＭＣは、ユーザが個人に合わせた広告の広い選択肢を有するとともにＰｏＣ端末装置と前記サーバとのインタラクションの機能が強化されるように、ＸＤＭＳまたは共用ＸＤＭＳを変更する。広告サーバにより再生された前記広告情報は、再生するために着信音に変換される。したがって、着呼側パーティとして動作する前記ＰｏＣ端末装置は、伝統的な単調な着信音の代わりに個人に合わせた広告サービスを享受する。前記ＰｏＣコントロールサーバは、広告サーバの再生および停止を制御する。したがって効果的で高品質なＰｏＣ通話を確保する。
【０１１１】
図７に示すように、本発明の一実施形態における前記ＰｏＣメディアシステム７００は、メディアリソースサーバ(この実施形態におけるメディアリソースサーバは、ＭＲＢＴ/ＭＣＩＤサーバ８００である)と、ＰｏＣ端末装置９００と、ＰｏＣコントロールサーバ１０００と、ＸＤＭＳ７０４と、共用ＸＤＭＳ７０６と、集合サーバ７０８と、具備する。
【０１１２】
前記メディアリソースサーバ８００は、発呼側ＰｏＣ端末装置および／または着呼側ＰｏＣ端末装置にＭＲＢＴを再生するように構成されている。前記ＭＲＢＴは、オーディオおよびビデオの個人に合わせたメディア情報である。
【０１１３】
前記ＰｏＣコントロールサーバ１０００は、メディアリソースサーバ８００と接続されており、ＰｏＣ端末装置９００と初期メディアネゴシエーションを実行するようにメディアリソースサーバ８００を制御し、ＭＲＢＴおよび／またはＭＣＩＤの再生(および再生の停止)をするようにメディアリソースサーバ８００を制御し、そしてＰｏＣ通話接続を制御するように構成されている。前記ＰｏＣコントロールサーバ１０００もリモートネットワーク７１０と接続されている。
【０１１４】
前記ＰｏＣ端末装置９００は、ＰｏＣ通話を実施し、ＭＣＩＤを受信するとともに再生し、ユーザの入力情報に応じてＸＤＭＣ９３０を介して、ＸＤＭＳ７０４および／または共用ＸＤＭＳ７０６にメディアサービス購読ＩＤを送信するように構成されている。前記メディアサービスは、ＭＲＢＴおよび／またはＭＣＩＤサービスを具備する。前記メディアサービス購読ＩＤは、発呼側に対応するユーザがＭＲＢＴおよび／またはＭＣＩＤサービスを購読しているかどうかを示す。前記ＰｏＣ端末装置９００は、ＰｏＣクライアント９１０を介し、メディアリソースサーバ８００と初期メディアネゴシエーションを実行するとともにメディアリソースサーバ８００により送信されるＭＲＢＴまたはＭＣＩＤをリアルタイムで再生する。
【０１１５】
前記ＸＤＭＳ７０４および共用ＸＤＭＳ７０６は、ユーザのサービス購読ＩＤを保存するように構成されている。前記ＩＤは発呼側に対応するユーザがＭＲＢＴおよび／またはＭＣＩＤサービスを購読しているかどうかを示す。
【０１１６】
前記集合サーバ７０８は、前記ＸＤＭＣ９３０と前記ＸＤＭＳ７０４との間に配置され、および／または前記ＸＤＭＣ９３０と前記共用ＸＤＭＳ７０６の間に配置されている。前記ＸＤＭＣ９３０は、集合サーバ７０８を介してＸＤＭＳ７０４および共用ＸＤＭＳ７０６を操作する。例えば、サービス購読ＩＤを設定する。前記ＸＤＭＳ７０４は、サービス購読ＩＤを格納するように構成されており、そして共用ＸＤＭＳ７０６は、共用サービス購読ＩＤを格納するように構成されている。
【０１１７】
図８に示すように、この実施形態における前記メディアリソースサーバ８００は、メディア再生モジュール８０２と、メディアコンテンツ格納モジュール８０４と、メディア購読モジュール８０６と、セッションモジュール８１０と、を具備する。
【０１１８】
前記メディア再生モジュール８０２は、セッションモジュール８１０が発呼側ＰｏＣ端末装置および／または着呼側ＰｏＣ端末装置と初期メディアネゴシエーションを実行した後に、サービス購読ＩＤに従って、前記ＭＲＢＴまたはＭＣＩＤを発呼側ＰｏＣ端末装置および／または着呼側ＰｏＣ端末装置に再生するように構成されている。
【０１１９】
前記メディアコンテンツ格納モジュール８０４は、前記ＭＲＢＴおよび／またはＭＣＩＤのコンテンツを格納するように構成されている。
【０１２０】
前記メディア購読モジュール８０６は、ユーザにより購読されるメディアのＩＤに関する情報を格納するように構成されている。例えば、ＭＲＢＴおよびＭＣＩＤ情報である。
【０１２１】
前記セッションモジュール８１０は、ＰｏＣコントロールサーバ１０００の制御に従って、発呼側および／または着呼側ＰｏＣ端末装置と初期メディアネゴシエーションを実行するように構成されている。この実施形態においては、前記ＳＩＰが一例として使用されている。前記セッションモジュール８１０は、メッセージ受信ユニット８１２と、メッセージ処理ユニット８１４と、応答ユニット８１６と、をさらに具備する。
【０１２２】
前記メッセージ受信ユニット８１２は、セッションメッセージを受信するように構成されている。例えば、招待メッセージおよび200 OKメッセージである。
【０１２３】
前記応答ユニット８１６は、メッセージ処理ユニット８１４の処理命令に従って応答メッセージまたは転送メッセージを送信するように構成されている。
【０１２４】
図９に示すように、この実施形態における前記ＰｏＣ端末装置９００は、ＰｏＣクライアント９１０と、ＸＤＭＣ９３０と、を具備する。
【０１２５】
前記ＰｏＣクライアント９１０は、ＰｏＣ通話およびＰｏＣサービスを実施するように構成されている。
【０１２６】
前記ＸＤＭＣ９３０は、入力情報に従って、ＸＤＭＳ７０４または共用ＸＤＭＳ７０６にサービス購読情報の設定命令を送信するとともに、ＭＲＢＴ/ＭＣＩＤサービス購読ＩＤを設定するように構成されている。
【０１２７】
前記ＰｏＣクライアント９１０は、メディアネゴシエーションユニット９０２と、端末セッションモジュール９０４と、会話モジュール９０６と、受信ユニット９０８と、判別ユニット９１０と、端末再生ユニット９１２と、入力ユニット９１４と、を具備する。
【０１２８】
前記メディアネゴシエーションユニット９０２は、ＰｏＣコントロールサーバ１０００の制御下において、メディアリソースサーバ８００と初期メディアネゴシエーションを実行するように構成されている。
【０１２９】
前記端末セッションモジュール９０４は、セッション接続をセットするように構成されている。この実施形態においては、前記セッションは、ＳＩＰプロトコルに基づき生成される。
【０１３０】
前記会話モジュール９０６は、ＰｏＣ端末通話を実施するように構成されている。
【０１３１】
前記受信ユニット９０８は、メディアリソースサーバ８００により送信されたＭＲＢＴまたはＭＣＩＤの個人に合わせたメディア情報を受信するように構成されている。
【０１３２】
前記判別ユニット９１０は、受信ユニット９０８がＭＲＢＴまたはＭＣＩＤの個人に合わせたメディア情報を受信するかどうかを判別するように構成されている。
【０１３３】
もし前記受信ユニット９０８がＭＲＢＴまたはＭＣＩＤの個人に合わせたメディア情報を受信するならば、前記端末再生ユニット９１２は、ＭＲＢＴまたはＭＣＩＤの個人に合わせたメディア情報を直接再生する。そうでない場合には、前記端末再生ユニット９１２は、着信音を再生する。
【０１３４】
もしＭＲＢＴ/ＭＣＩＤの個人に合わせたメディア情報がオーディオ情報ならば、前記端末再生ユニット９１２は、オーディオ再生回路またはスピーカであってよい。
【０１３５】
もし、ＭＲＢＴ/ＭＣＩＤの個人に合わせたメディア情報がビデオ情報ならば、前記端末再生ユニット９１２は、ＬＣＤといった表示デバイスまたはオーディオ及びビデオを再生するための装置であってもよい。
【０１３６】
前記入力ユニット９１４は、ユーザの入力情報を受信するように構成されている。例えば、購読するためにＭＲＢＴ/ＭＣＩＤサーバに入力した情報または通話のための情報である。この実施形態において、前記入力ユニット９１４は、キーボードまたはタッチスクリーンなどの入力装置である。
【０１３７】
図１０に示すように、この実施形態におけるＰｏＣコントロールサーバ１０００は、セッションコントロールモジュール１００２と、メディアコントロールユニット１０２０と、ドキュメントリーディングユニット１００８と、会話コントロールユニット１０１０と、を具備する。
【０１３８】
前記セッションコントロールモジュール１００２は、発呼側ＰｏＣ端末装置からのセッション要求を受信するとともに着呼側ＰｏＣ端末装置にセッション要求を送信するように構成されている。
【０１３９】
前記メディアコントロールモジュール１０２０は、メディアリソースサーバ８００をＰｏＣ端末装置と初期メディアネゴシエーションを実行するように制御するとともにＰｏＣ端末装置に個人に合わせたメディア情報を再生するように、メディアリソースサーバ８００を制御するように構成されている。
【０１４０】
この実施形態においては、前記メディアコントロールモジュール１０２０は、メディアネゴシエーションコントロールユニット１００４と、再生コントロールユニット１００６と、をさらに具備する。
【０１４１】
前記メディアネゴシエーションコントロールユニット１００４は、発呼側ＰｏＣ端末装置および／または着呼側ＰｏＣ端末装置と初期メディアネゴシエーションを実行するようにメディアリソースサーバ８００を制御するように構成されている。
【０１４２】
前記再生コントロールユニット１００６は、初期メディアネゴシエーションの後に、ＰｏＣ端末装置にＭＲＢＴまたはＭＣＩＤを再生するようにメディアリソースサーバ８００を制御するように構成されている。この実施形態においては、前記再生コントロールユニット１００６は、メディアリソースサーバ８００にＭＲＢＴ/ＭＣＩＤの再生（または再生停止）命令を発行する。
【０１４３】
前記ドキュメントリーディングユニット１００８は、ＸＤＭＳ７０４または共用ＸＤＭＳ７０６のサービス購読ＩＤを読み出すように構成されている。
【０１４４】
前記会話コントロールユニット１０１０は、ＰｏＣ通話の実施を制御するように構成されている。
【０１４５】
前述したＰｏＣメディアシステム７００は、メディアリソースサーバを介したＰｏＣ端末装置９００での個人に合わせたメディア情報の再生に初期メディアを使用する。したがって、ＰｏＣ発呼処理において個人に合わせたメディアの再生サービスを実施するとともに、ユーザエクスペリエンスを改善する。前記ＰｏＣコントロールサーバ１０００は、セッション要求送信時における初期メディアネゴシエーションの実施を制御する。したがって、個人に合わせたメディア情報のスムーズな再生のためのプラットフォームを提供する。前記ＸＤＭＣ９３０は、ＸＤＭＳ７０４または共用ＸＤＭＳ７０６を変更する。ユーザがサービス購読ＩＤをセットするとともにＰｏＣ端末装置９００およびサーバ間のインタラクションの機能を強化する。前記メディアリソースサーバ８００は、着呼側ＰｏＣ端末装置で伝統的な単調な着信音の代わりにＭＣＩＤ音(tone)を再生するとともに、発呼側ＰｏＣ端末装置で単調な呼出音(ringback tone)の代わりにＭＲＢＴを再生する。前記ＰｏＣコントロールサーバ１０００は、メディアリソースサーバ８００の再生および停止を制御する。したがって効果的な高品質のＰｏＣ通話を確保する。
【０１４６】
図１１に示すように、本発明の実施形態におけるＰｏＣメディアの再生のための方法は、以下のステップである。
【０１４７】
ステップ 1102：前記ＵＥ（Ａ）は、招待要求をＰｏＣコントロールサーバに送信する。ＵＥはUser Equipmentである。この実施形態においてＳＩＰ信号を一例として取り上げる。招待要求は、特定の着呼側ＰｏＣ端末に向けられてもよいし、またはグループの招待要求に向けられてもよい。この実施形態においては、招待要求は特定の着呼側ＰｏＣ端末ＵＥ（Ｂ）に向けられていると想定する。
【０１４８】
ステップ 1104：ＰｏＣ端末装置のＸＤＭＳにおける前記サービス購読ＩＤが判別される。発呼側ＰｏＣ端末装置に対応するユーザＩＤが、ＭＲＢＴ/ＭＣＩＤサービスを購読していると示す場合には、前記処理はステップ 1106に進む。そうでない場合には、処理は終了する。この実施形態においては、発呼側ＰｏＣ端末装置および着呼側ＰｏＣ端末装置は、ＭＲＢＴおよびＭＣＩＤサービスをそれぞれ購読していると想定する。
【０１４９】
ステップ 1106：前記ＰｏＣコントロールサーバはＵＥ（Ｂ）へ招待要求を送信する。そして、前記ＰｏＣコントロールサーバは、グループのすべての着呼側パーティへ招待発呼要求(Invite call request)を送信しうる。
【０１５０】
ステップ 1108：前記ＵＥ（Ｂ）は、183仮応答を返信する。
【０１５１】
ステップ 1110：前記ＰｏＣコントロールサーバは、ＵＥ（Ａ）と初期メディアネゴシエーションを実行するようにＭＲＢＴサーバを制御する。
【０１５２】
ステップ 1112：前記ＰｏＣコントロールサーバは、ＵＥ（Ｂ）と初期メディアネゴシエーションを実行するようにＭＣＩＤサーバを制御する。明らかに、ステップ 1110およびステップ 1112は、シーケンスに影響されない。すなわち、ステップ 1112が、ステップ 1110の前に実行されようが、後に実行されようが問題とならない。以下同様である。
【０１５３】
ステップ 1114：前記ＰｏＣコントロールサーバは、前記ＭＲＢＴサーバに、制御命令を送信する。前記制御命令は、ＵＥ（Ａ）により購読されているＭＲＢＴタイプおよびＰｏＣグループＩＤ情報を伝送するとともにＵＥ（Ａ）にＭＲＢＴを再生するようにＭＲＢＴサーバに命令する。
【０１５４】
ステップ 1116：ＰｏＣコントロールサーバにより送信されたＭＲＢＴ再生命令に従って、前記ＭＲＢＴサーバは、発呼側ＰｏＣ端末装置および／またはＰｏＣグループＩＤ情報に対応するＩＤ情報に照らしてＭＲＢＴコンテンツを読み出すとともに発呼側ＰｏＣ端末装置ＵＥ（Ａ）にＭＲＢＴを再生する。
【０１５５】
ステップ 1118：前記ＰｏＣコントロールサーバは、ＭＣＩＤサーバに制御命令を送信する。前記制御命令は、ＵＥ（Ｂ）により購読されているＭＣＩＤタイプを伝送するとともに着呼側ＰｏＣ端末装置ＵＥ（Ｂ）にＭＣＩＤ音を再生するようにＭＣＩＤサーバに命令する。
【０１５６】
ステップ 1120：ＰｏＣコントロールサーバにより送信されたＭＣＩＤ再生命令および発呼側(または着呼側)ＰｏＣ端末装置のＩＤ情報に従って、ＭＣＩＤサーバは、ＭＣＩＤコンテンツを読み出すとともに着呼側ＰｏＣ端末装置ＵＥ（Ｂ）にＭＣＩＤ音を再生する。
【０１５７】
ステップ 1122：前記着呼側ＰｏＣ端末装置ＵＥ（Ｂ）はオフ−フックとなるとともにＰｏＣコントロールサーバにオフ−フックメッセージ200 OKを返信する
【０１５８】
ステップ 1124：前記ＰｏＣコントロールサーバは、発呼側ＰｏＣ端末装置ＵＥ（Ａ）に200 OKメッセージを送信する。
【０１５９】
ステップ 1126：前記ＰｏＣコントロールサーバは、ＭＲＢＴサーバにＭＲＢＴの再生の停止する命令を送信し、そして、ＭＲＢＴサーバは、発呼側ＰｏＣ端末装置ＵＥ（Ａ）のＭＲＢＴの再生を停止する。
【０１６０】
ステップ 1128：前記ＰｏＣコントロールサーバはＭＣＩＤサーバにＭＣＩＤ音の再生停止の命令を送信し、そしてＭＣＩＤサーバは、着呼側ＰｏＣ端末装置ＵＥ（Ｂ）のＭＣＩＤ音の再生を停止する。
【０１６１】
ステップ 1130：前記ＰｏＣコントロールサーバは、発呼側ＰｏＣ端末装置ＵＥ（Ａ）にフロアコントロール命令を送信する。
【０１６２】
ステップ 1132：前記ＰｏＣコントロールサーバは、着呼側ＰｏＣ端末装置ＵＥ（Ｂ）にフロアコントロール命令を送信する。
【０１６３】
ステップ 1134 および 1136：前記発呼側ＰｏＣ端末装置および着呼側ＰｏＣ端末装置は、通常メディア通話となる。
【０１６４】
以下の説明は、応用例に基づく。図１２に示すように、ＰｏＣメディア再生のための方法は、以下のステップを具備する。
【０１６５】
ステップ 1：ＵＥ（Ａ）は、ＰｏＣサーバに招待要求を送信する。
【０１６６】
ステップ 2：前記ＭＲＢＴ/ＭＣＩＤサービス購読ＩＤは、ＸＤＭＳまたは共用ＸＤＭＳから読み出される。前記サービス購読ＩＤは、発呼側に対応するユーザがＭＲＢＴ/ＭＣＩＤサービスを購読しているかどうかを示す。購読している場合には、処理はステップ 2へと進む。そうでない場合には、処理は終了する。
【０１６７】
ステップ 3：前記ＰｏＣサーバは、ＵＥ（Ｂ）にＭＲＢＴ/ＭＣＩＤサービスＩＤを伝送する招待要求を送信する。
【０１６８】
ステップ 4：前記ＵＥ（Ｂ）は１８３仮応答を返信する。
【０１６９】
ステップ 5：前記ＰｏＣコントロールサーバは、ＭＲＢＴサーバに招待要求を送信する。前記招待要求は、申し込みを伝送しない。
【０１７０】
ステップ 6：前記ＭＲＢＴサーバは、ＭＲＢＴサーバの申し込みを伝送する200 OKを返信する。
【０１７１】
ステップ 7：前記ＰｏＣコントロールサーバは、ＵＥ（Ａ）にＭＲＢＴサーバの申し込みを伝送する１８３仮応答を返信する。
【０１７２】
ステップ 8：前記ＵＥ（Ａ）は、ＰｏＣサーバに信頼性のあるＰＲＡＣＫを送信する。前記ＰＲＡＣＫは、ＭＲＢＴサーバにＵＥ（Ａ）からの応答を直接伝送する。
【０１７３】
ステップ 9：ＰｏＣサーバは、ＭＲＢＴサーバに、200 OKに対するＡＣＫメッセージを返信する。前記ＡＣＫメッセージは、ＭＲＢＴサーバに対するＵＥ（Ａ）からの応答を伝送する。これでＭＲＢＴサーバは、ＵＥ（Ａ）との初期メディアネゴシエーションを終了する。
【０１７４】
ステップ 10：前記ＰｏＣコントロールサーバは、ＭＣＩＤサーバに招待要求を送信する。前記招待要求は、申し込みを伝送しない。
【０１７５】
ステップ 11：前記ＭＣＩＤサーバは、ＭＣＩＤサーバの申し込みを伝送する200 OKを返信する。
【０１７６】
ステップ 12：前記ＰｏＣコントロールサーバは、ＵＥ（Ｂ）に、ＭＣＩＤサーバの申し込みを伝送する信頼性のあるＰＲＡＣＫを送信する。
【０１７７】
ステップ 13：前記ＵＥ（Ｂ）は、ＰＲＡＣＫに対する200メッセージを返信する。前記メッセージは、ＭＣＩＤサーバに対するＵＥ（Ｂ）からの応答を伝送する。
【０１７８】
ステップ 14：前記ＰｏＣサーバは、ＭＣＩＤサーバに、200 OKに対するＡＣＫメッセージを返信する。前記ＡＣＫメッセージは、ＵＥ（Ｂ）からのＭＣＩＤサーバに対する応答を伝送する。これでＭＣＩＤサーバは、ＵＥ（Ｂ）との初期メディアネゴシエーションを終了する。
【０１７９】
ステップ 15：前記ＰｏＣコントロールサーバは、ＵＥ（Ａ）にＰＲＡＣＫに対する200メッセージを返信する。
【０１８０】
ステップ 16：前記ＵＥ（Ｂ）は、ＰｏＣコントロールサーバに警告を返信する。
【０１８１】
ステップ 17：前記ＰｏＣコントロールサーバは、ＵＥ（Ａ）に、警告を返信する。
【０１８２】
ステップ 18：前記ＰｏＣコントロールサーバは、発呼側パーティでのＭＲＢＴの再生の通知をＭＲＢＴサーバに送信する。前記通知は、ＰｏＣ発呼側のグループＩＤを伝送する。
【０１８３】
ステップ 19：前記ＰｏＣコントロールサーバは、着呼側パーディでのＭＣＩＤ音の再生をＭＣＩＤサーバに通知する。
【０１８４】
ステップ 20：前記ＭＲＢＴサーバは、発呼側パーティＩＤおよび／またはグループＩＤに従ってＭＲＢＴメディアを抽出するとともにＵＥ（Ａ）でのＭＲＢＴメディアの再生に初期メディアを使用する。
【０１８５】
ステップ 21：ＭＣＩＤサーバは、着呼側パーディＩＤまたは発呼側パーディＩＤに従ってＭＣＩＤメディアを抽出するとともに、ＵＥ（Ｂ）での個人に合わせたＭＣＩＤメディアの再生に初期メディアを使用する。
【０１８６】
ステップ 22：着呼側パーディは、オフ−フックとなり、ＰｏＣコントロールサーバに、招待メッセージに対する200 OKを返信する。
【０１８７】
ステップ 23：前記ＰｏＣコントロールサーバは、ＵＥ（Ａ）に、招待メッセージに対する200 OKメッセージを返信する。
【０１８８】
ステップ 24-25：前記ＰｏＣコントロールサーバは、ＭＲＢＴサーバとのセッションを終了する。その結果、ＭＲＢＴサーバは、ＵＥ（Ａ）へのＭＲＢＴの再生を停止する。
【０１８９】
ステップ 26-27：前記ＰｏＣコントロールサーバは、ＭＣＩＤサーバとのセッションを終了する。その結果、前記ＭＣＩＤサーバは、ＵＥ（Ｂ）へのＭＣＩＤ音の再生を停止する。
【０１９０】
ステップ 28-29：前記ＰｏＣコントロールサーバは、ＵＥ（Ａ）およびＵＥ（Ｂ）にフロアコントロール命令を送信する。
【０１９１】
ステップ 30-31：前記ＵＥ（Ａ）および前記ＵＥ（Ｂ）は、ＰｏＣコントロールサーバのメディア転送を介し標準通話を実行する。
【０１９２】
本発明におけるＰｏＣメディアの再生のための方法において、前記メディアリソースサーバは、ＰｏＣ端末装置への個人に合わせたメディア情報の再生に初期メディアを使用する。したがって、ＰｏＣ発呼処理において個人に合わせたメディア再生サービスを実施するのに適するとともにユーザエクスペリエンスを改善する。前記ＰｏＣコントロールサーバは、セッション要求の送信時における初期メディアネゴシエーションの実行を制御する。したがって個人に合わせたメディア情報をスムーズに再生するためのプラットフォームを提供するのに適する。前記ＭＣＩＤサーバは、着呼側ＰｏＣ端末装置に伝統的な単調な着信音の代わりにＭＣＩＤ音を再生するとともに、発呼側ＰｏＣ端末装置に、単調な呼出音の代わりにＭＲＢＴを再生する。前記ＰｏＣコントロールサーバは、リソースサーバの再生と停止を制御する。したがって、効果的で高品質なＰｏＣ通話が確保される。
【０１９３】
前述の実施形態のステップの全部または一部がプログラムにより指示されるハードウェアにより実施可能であることは、当業者にとり理解される。前記プログラムは、コンピュータ読取可能な記録媒体に格納されていてもよい。そのようなプログラムは、上述の実施形態においてカバーされるステップを実行する。そして記録メディアは、読出し専用メモリ(ROM)、ランダム・アクセス・メモリ(RAM)、磁気ディスク、およびコンパクトディスクといったプログラムコードを格納可能な任意のメディアであってよい。
【０１９４】
いくつかの実施形態の例示を通して本発明を説明したが、本発明は、それらの実施形態に限定されるものではない。当業者が本発明の精神と範囲を逸脱することなく種々の本発明の修正や変更が可能なことは明白である。本発明は、以下の特許請求の範囲またはその均等により定められた保護される範囲内での修正および変更をカバーすることを意図する。
【符号の説明】
【０１９５】
１００      ＰｏＣ広告システム
１０６      共用ＸＤＭＳ
１０８      集合サーバ
１１０      リモートネットワーク
２００      広告サーバ
２０２      広告メディア再生モジュール
２０４      広告コンテンツ格納モジュール
２０６      広告コントロールモジュール
２０８      広告ポイント記録ユニット
２１０      広告セッションモジュール
２２０      プロファイルモジュール
３００      ＰｏＣ端末装置
３１０      ＰｏＣクライアント
３３０      ＸＤＭＣ
４００      ＰｏＣコントロールサーバ
【図１】
2010517342.tif 000003
【図２】
2010517342.tif 000004
【図３】
2010517342.tif 000005
【図４】
2010517342.tif 000006
【図５】
2010517342.tif 000007
【図６】
2010517342.tif 000008
【図７】
2010517342.tif 000009
【図８】
2010517342.tif 000010
【図９】
2010517342.tif 000011
【図１０】
2010517342.tif 000012
【図１１】
2010517342.tif 000013
【図１２】
2010517342.tif 000014
【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
ＰｏＣ（Push to talk over Cellular）メディアシステムであって、
ＰｏＣ端末装置に個人に合わせたメディア情報を再生するように構成されているメディアリソースサーバと、
ＰｏＣ端末装置と初期メディアネゴシエーションを実行するようにメディアリソースサーバを制御するとともに、メディアリソースサーバへ命令を送信するように構成されているＰｏＣコントロールサーバと、を具備し、
前記命令はＰｏＣ端末装置へ個人に合わせたメディア情報の送信の指示を伝送することを特徴とするＰｏＣメディアシステム。
【請求項２】
サービス購読ＩＤ情報を格納するように構成されているＸＤＭＳ（XML Document Management Server）をさらに具備することを特徴とする請求項１に記載のＰｏＣメディアシステム。
【請求項３】
前記メディアリソースサーバは、少なくとも広告サーバの１つであるとともに、ＭＲＢＴ（Multimedia Ring Back Tone）サーバおよびＭＣＩＤ（Multimedia Caller Identification）サーバであることを特徴とする請求項１に記載のＰｏＣメディアシステム。
【請求項４】
ＸＤＭＳ（XML Document Management Server）とＸＤＭＣ（XML Document Management Client）との間のインターフェースとして動作する集合サーバをさらに具備することを特徴とする請求項１に記載のＰｏＣメディアシステム。
【請求項５】
メディアリソースサーバであって、
ＰｏＣコントロールサーバの制御に従ってＰｏＣ（Push to talk over Cellular）端末装置と初期メディアネゴシエーションを実行するように構成されているセッションモジュールと、
セッションモジュールがＰｏＣ端末装置と初期メディアネゴシエーションを実行した後に端末装置に個人に合わせたメディア情報を再生するように構成されているメディア再生モジュールと、を具備することを特徴とするメディアリソースサーバ。
【請求項６】
個人に合わせたメディア情報のコンテンツを格納するとともに、再生するためにメディア再生モジュールに個人に合わせたメディアのコンテンツを返信するように構成されているメディアコンテンツ格納モジュールをさらに具備することを特徴とする請求項５に記載のメディアリソースサーバ。
【請求項７】
ユーザにより加入されたメディアＩＤに関する情報を格納するように構成されているメディア購読モジュールをさらに具備することを特徴とする請求項５に記載のメディアリソースサーバ。
【請求項８】
前記メディアリソースサーバは広告サーバであり、前記広告サーバは、
広告ポリシー情報およびＰｏＣコントロールサーバにより送信された広告タイプに関する情報に従って広告ＩＤを選択するように構成されている広告コントロールモジュールと、をさらに具備することを特徴とする請求項５に記載のメディアリソースサーバ。
【請求項９】
ＰｏＣ（Push to talk over Cellular）端末装置であって、
セッション接続を確立するように構成されている端末セッションモジュールと、
ＰｏＣコントロールサーバの制御に従ってメディアリソースサーバとともに初期メディアネゴシエーションを実行するように構成されているメディアネゴシエーションユニットと、
初期メディアネゴシエーションの終了後、メディアリソースサーバから個人に合わせたメディア情報を受信するように構成されている受信ユニットと、
個人に合わせたメディア情報を再生するように構成されている端末再生ユニットと、
セッション接続の確立後ＰｏＣ通話を実施するように構成されている会話モジュールと、を具備することを特徴とするＰｏＣ端末装置。
【請求項１０】
前記端末装置は、受信ユニットが個人に合わせたメディア情報を受信するかどうかを判別するように構成されている判別ユニットをさらに具備し、
もし受信ユニットが個人に合わせたメディア情報を受信するならば、端末再生ユニットは、個人に合わせたメディア情報を直接再生することを特徴とする請求項９に記載のＰｏＣ端末装置。
【請求項１１】
ユーザの入力情報を受信するように構成されている入力ユニットをさらに具備することを特徴とする請求項９に記載のＰｏＣ端末装置。
【請求項１２】
ＰｏＣ（Push to talk over Cellular）コントロールサーバであって、
発呼側ＰｏＣ端末装置からのセッション要求を受信するとともに着呼側ＰｏＣ端末装置へセッション要求を送信するように構成されているセッションコントロールモジュールと、
ＰｏＣ端末装置と初期メディアネゴシエーションを実行するようにメディアリソースサーバを制御するとともにＰｏＣ端末装置に個人に合わせたメディア情報を再生するように、メディアリソースサーバを制御するように構成されているメディアコントロールモジュールと、
ＰｏＣ通話を実施するように構成されている会話コントロールユニットと、を具備することを特徴とするＰｏＣコントロールサーバ。
【請求項１３】
ＸＤＭＳ（XML Document Management Server）に格納されているサービス購読ＩＤ情報を読み出すように構成されているドキュメントリーディングユニットをさらに具備することを特徴とする請求項１２に記載のＰｏＣコントロールサーバ。
【請求項１４】
前記メディアコントロールモジュールは、
発呼側ＰｏＣ端末装置および／または着呼側ＰｏＣ端末装置と初期メディアネゴシエーションを実行するようにメディアリソースサーバを制御するように構成されているメディアネゴシエーションコントロールユニットと、
初期メディアネゴシエーションの後にＰｏＣ端末装置に個人に合わせたメディア情報を再生するようにメディアリソースサーバを制御するように構成されている再生コントロールユニットと、をさらに具備することを特徴とする請求項１２に記載のＰｏＣコントロールサーバ。
【請求項１５】
ＰｏＣ（Push to talk over Cellular）メディア再生方法であって、
セッション要求に従って、発呼側ＰｏＣ端末装置および／または着呼側ＰｏＣ端末装置と初期メディアネゴシエーションを実行するようにメディアリソースサーバを制御するステップと、
メディアリソースサーバに命令を送信するステップと、
命令に従って発呼側ＰｏＣ端末装置および／または着呼側ＰｏＣ端末装置に個人に合わせたメディア情報を再生するステップと、を具備し、
前記命令は、発呼側ＰｏＣ端末装置および／または着呼側ＰｏＣ端末装置に個人に合わせたメディア情報の再生指示を伝送することを特徴とするＰｏＣメディア再生方法。
【請求項１６】
前記制御するステップ処理の前において、
発呼側ＰｏＣ端末装置により送信されたセッション要求を受信するステップと、
着呼側ＰｏＣ端末装置へセッション要求を送信するステップと、をさらに具備することを特徴とする請求項１５に記載のＰｏＣメディア再生方法。
【請求項１７】
着呼側ＰｏＣ端末装置がオフ−フック後に、前記発呼側ＰｏＣ端末装置および／または着呼側ＰｏＣ端末装置の個人に合わせたメディア情報の再生を停止するようにメディアリソースサーバを制御するステップをさらに具備することを特徴とする請求項１６に記載のＰｏＣメディア再生方法。
【請求項１８】
発呼側ＰｏＣ端末装置からのセッション要求を受信するステップおよび着呼側ＰｏＣ端末装置へセッション要求を送信するステップは、ＳＩＰ（Session Initiation Protocol）に基づくことを特徴とする請求項１６に記載のＰｏＣメディア再生方法。
【請求項１９】
発呼側に対応するユーザは、メディアサービスを購読しているかどうか判別するためにＸＤＭＳ（XML Document Management Server）または共用ＸＤＭＳからメディアサービス購読ＩＤを読み出すステップをさらに具備することを特徴とする請求項１５または請求項１６に記載のＰｏＣメディア再生方法。
【請求項２０】
前記個人に合わせたメディア情報は、個人に合わせた広告であることを特徴とする請求項１５または請求項１６に記載のＰｏＣメディア再生方法。
【国際調査報告】
2010517342.tif 000015
2010517342.tif 000016
2010517342.tif 000017
2010517342.tif 000018